(57)【特許請求の範囲】
【請求項１】
外形が長方形に形成された薄板状のリテーナ部材の外形形状に対応してリテーナ部材を嵌め込み可能に窪む整列凹部が複数個並設されたパレットと、
各整列凹部の長手方向一端側に設けられ、整列凹部内に嵌まり込んだリテーナ部材を起立可能に窪む起立凹部と、
整列凹部内に嵌まり込んだリテーナ部材を起こして起立凹部内に一端側を落とし込む起立手段と
を備えていることを特徴とするリテーナ部材整列具。
【請求項２】
請求項１記載のリテーナ部材整列具において、
上記パレットは、リテーナ部材の脱落を規制可能な枠材によって囲われているリテーナ部材整列具。
【請求項３】
請求項１または２記載のリテーナ部材整列具において、
上記起立手段は、起立凹部毎にパレットに取り付けられ、起立凹部が区画する空間内に進退可能な押圧ピンと、
各押圧ピンを一斉に押し上げ可能な押上げ部材と
を含んでいるリテーナ部材整列具。
【請求項４】
請求項３記載のリテーナ部材整列具において、
上記押し上げ部材は、パレットと一体的に連結されているリテーナ部材整列具。
【発明の詳細な説明】
【０００１】
【発明の属する技術分野】
本発明はリテーナ部材整列具に関する。
【０００２】
【従来の技術】
自動車や複写機、或いは酸素センサ等における電装品の配線に用いられるワイヤハーネスには、ワイヤハーネス相互間の接続やワイヤハーネスと電装品との接続のために、ハウジングに端子を装着したコネクタが用いられる。
このコネクタには、ハウジングから端子が抜けないように種々の対策が施されている。例えば酸素センサに用いられているコネクタにおいては、端子金具の挿入後に、ハウジングの前方から端子に直接または間接的に係止するリテーナ部材を挿入して、このリテーナ部材を係止させ、端子を二重に係止する二重係止構造を有するものが用いられるようになってきている。
【０００３】
リテーナ部材は、概ね矩形の外形を有する板状の小ピースであり、コネクタや端子の係止形態に対応して表裏面が非対称形の起伏を形成しているため、作業者は目視によってリテーナ部材の方向性を確認しながら装着作業を行っていた。
【０００４】
【発明が解決しようとする課題】
しかしながら、リテーナ部材は非常に小さい（例えば１２ｍｍ×１１ｍｍ）部材であるので、その方向性を目視で確認しやすくすることが要請されている。
また、リテーナ部材は肉厚も薄い（例えば１．５ｍｍ）ので、把持しにくく、この点から作業性を向上させる必要があるという問題があった。
【０００５】
さらに、リテーナ部材の装着作業を自動化する上でも、リテーナ部材を効率よく送給することが要請される。
本発明は上記不具合ないし要請に鑑みてなされたものであり、リテーナ部材の装着作業を容易に行うことのできるリテーナ部材整列具を提供することを課題としている。
【０００６】
【課題を解決するための手段】
上記課題を解決するために本発明は、外形が長方形に形成された薄板状のリテーナ部材の外形形状に対応してリテーナ部材を嵌め込み可能に窪む整列凹部が複数個並設されたパレットと、各整列凹部の長手方向一端側に設けられ、整列凹部内に嵌まり込んだリテーナ部材を起立可能に窪む起立凹部と、整列凹部内に嵌まり込んだリテーナ部材を起こして起立凹部内に一端側を落とし込む起立手段とを備えていることを特徴とするリテーナ部材整列具である。
【０００７】
この特定事項を含む発明では、パレットの上に複数のリテーナ部材を無作為に置き、パレット上で広げて散在させると、リテーナ部材が整列凹部内に嵌まり込むことにより、長手方向が一定の方向に揃えられた状態で整列される。そして、起立手段により整列されたリテーナ部材を起こして起立凹部内に一端側を落とし込むことにより、リテーナ部材は、その一端側が起立凹部内に落ち込むことにより起立する。従って、リテーナ部材を把持する際には、専ら、リテーナ部材の表側と裏側とのみ識別するだけで正規に姿勢に装着することが可能になる。また、リテーナ部材の数量を整列凹部の個数で管理することも可能になる。
【０００８】
好ましい態様において、上記パレットは、リテーナ部材の脱落を規制可能な枠材によって囲われている。
この特定事項を含む発明では、パレット上でリテーナ部材を広げる際に、リテーナ部材がパレットの上から離脱しない。
好ましい別の態様において、上記起立手段は、起立凹部毎にパレットに取り付けられ、起立凹部が区画する空間内に進退可能な押圧ピンと、各押圧ピンを一斉に押し上げ可能な押上げ部材とを含んでいる。
【０００９】
この特定事項を含む発明では、各起立凹部に設けられた押圧ピンをリテーナ部材の整列後に一斉に押し上げ、一度の操作で全てのリテーナ部材の姿勢を変位させることが可能になる。
さらに好ましい態様では、上記押し上げ部材は、パレットと一体的に連結されている。
【００１０】
この特定事項を含む発明では、押し上げ部材がパレットと連結されているので、両者を一体的に設置／搬送することができ、取り扱いが容易になる。
【００１１】
【発明の実施の形態】
以下、添付図面を参照しながら、本発明の好ましい実施の形態について詳述する。
図１は本発明の実施の一形態におけるリテーナ部材整列具１０の使用状態を示す斜視図である。
【００１２】
同図を参照して、この実施の形態に係るリテーナ部材整列具１０は、リテーナ部材１を整列させるための整列部１１と、この整列部１１と併用される押し上げ部材２０とを含んでいる。そして、図示の例では、これらを作業台２の上に載置してリテーナ部材１を整列部１１によって整列し、整列されたリテーナ部材１を装着具３０で把持してコネクタＣに装着するようにしている。
【００１３】
リテーナ部材１は、外形が概ね長方形の薄板部材であり、その一方の面と他方の面とが互いに点対称形に形成され、それぞれ一端側に係止用の隆起部１ａを有し、他端側に隆起部による窪み部１ｂを有している（図３参照）。
また、図６に示すように、上記コネクタＣは、樹脂製のハウジングＨ内に形成されたキャビティ（図示せず）に端子を収容しているとともに、ハウジングＨの接続側部分には、各キャビティと連通する開口部Ｈ１が形成されており、この開口部Ｈ１からリテーナ部材１を挿入することにより、内部に形成されたランスを変位させて各キャビティ内の端子を二重に係止することができるようになっている周知のものである。
【００１４】
図２は図１の実施の形態に係る整列部１１を示すものであり、（Ａ）は平面図、（Ｂ）は断面図である。また図３ないし図５は、図１の実施の形態に係るリテーナ部材整列具１０の作用を示す断面部分略図である。
図２（Ａ）（Ｂ）を参照して、リテーナ部材整列具１０の整列部１１は、略正方形に形成されたパレット１２と、パレット１２の周囲を囲う枠体１３とをビス止めにより一体的に有している。
【００１５】
上記整列部１１のパレット１２には、リテーナ部材１の外形に沿って窪んだ整列凹部１４が、複数行にわたって並設されている。図示の例では、整列部１１によって整列されたリテーナ部材１の個数を所定の数（図示の例では４０個）に合わせて管理するために、一行だけ個数を減らしている。
各整列凹部１４は、リテーナ部材１を概ねパレット１２の上面に対してつらいちになるように嵌め込むことができる深さに設定されている。
【００１６】
次に、各整列凹部１４の長手方向一端側（図２の左側）には、整列凹部１４よりも深い起立凹部１５が区画されている。起立凹部１５は、平面でみて概ねスリット状に形成されており、この起立凹部１５にリテーナ部材１の一端側が落とし込まれることにより、リテーナ部材１は、他端側を上向きにして起立することができるように設定されている。
【００１７】
整列凹部１４に落とし込まれたリテーナ部材１を変位させて、その一端側を起立凹部１５に落とし込むために、パレット１２には、各整列凹部１４毎に起立手段としてのボルト１６が垂下している。各ボルト１６を垂下させるために、整列凹部１４の略中央部より僅かに長手方向他端側にずれた位置には、整列凹部１４と連通する大径部１７ａを有する段付孔１７が形成されており、各ボルト１６は、それぞれ対応する段付孔１７の大径部１７ａ内に頭部１６ａを落とし込んだ状態で垂下している。さらに、ボルト１６の下端部分には、ナット１８が固着されて、抜け止めが図られている。そして、このナット１８と頭部１６ａとの間だけ上下に昇降することにより、通常は自重によって頭部１６ａが整列凹部１４から退避している退避姿勢（図２（Ｂ）参照）を取っているとともに、下側から押し上げられることにより、整列凹部１４の上方に頭部１６ａを突出させて、当該整列凹部１４に落とし込まれたリテーナ部材１を起こして、起立凹部１５内にその一端側を落とし込むことができるようになっている。
【００１８】
なお、上記枠体１３は、図２（Ｂ）に示すように、パレット１２の上方と下方とを囲っており、パレット１２の上方側部分は、パレット１２の上面に置かれたリテーナ部材１がこぼれ落ちないようにしているとともに、下方側部分は、次に説明する押し上げ部材２０のガイドを構成している。
図１を参照して、上記ボルト１６を押し上げるために、図示の例では、押し上げ部材２０を採用している。
【００１９】
この押し上げ部材２０は、矩形のベース板２１上に押し上げ板２２を積層したものであり、押し上げ板２２は、上記枠体１３の内寸に沿う外寸に設定されているとともに、パレット１２に垂下しているボルト１６を所定の高さだけ押し上げ可能な板厚に設定されている。
以上の構成では、複数のリテーナ部材１を無作為にパレット１２上に乗せ（図３参照）、これをパレット１２上で広げることにより、リテーナ部材１が順次、パレット１２上に形成された整列凹部１４内に落ち込んで、整列される。その後、整列部１１を持ち上げて押し上げ部材２０の押し上げ板２２の外周に枠体１３の内面を沿わせて載置することにより、図４に示すように、ボルト１６が押し上げ板２２に押し上げられる結果、整列凹部１４内に収容されているリテーナ部材１が起こされて一端側が起立凹部１５内に落ち込み、図５に示すように、起立姿勢に変位する。これにより、次に説明する装着具３０によって容易に把持することができるようになる。
【００２０】
図６は図１に採用されている装着具３０の使用例を示す斜視図であり、図７は図６の装着具３０の分解斜視図である。
これらの図を参照して、図示の実施の形態に係る装着具３０は、半割れ状態に分割可能な一対の本体片３１、３２と、本体片３１、３２間に介装され、且つ両本体片３１、３２に対して相対的に変位可能な摺動片３３とを含んでいる。
【００２１】
本体片３１、３２は平面視長方形に形成された基部３１ａ、３２ａと、基部３１ａ、３２ａの一端側に延設された薄肉部３１ｂ、３２ｂと、薄肉部３１ｂ、３２ｂの一端側に突設され、薄肉部３１ｂ、３２ｂよりも幅の狭い挟持部３１ｃ、３２ｃとを一体に有する樹脂成形品であり、両者はそれぞれ接合面を境に略対称形の外郭を構成している。そして、両者を接合し、ビス３４、３５でネジ止めすることにより、両本体片３１、３２は一体化されている。
【００２２】
一方（図７の下側）の本体片３１は、断面が矩形に形成された摺動片３３をガイドするガイド溝３１ｄを長手方向に沿い概ね全長にわたって区画している。ガイド溝３１ｄの挟持部３１ｃ部分は、当該挟持部３１ｃの途中部分まで延びるリブ３１ｅによって区画されているとともに、挟持部３１ｃの先端側で開放されている。そして、これにより、他方の本体片３２との組み付け時に他方の本体片３２の挟持部３２ｃとの間でリテーナ部材１を挟持可能な空間Ｓ（図６参照）を区画できるようになっている。また、ガイド溝３１ｄの基部３１ａ部分には、底の深い収容部３１ｆが区画されている。
【００２３】
次に上記摺動片３３は、略長板状に形成された金属部材であり、その一端部には、作業者が把持するための握り部３６が固定されているとともに、他端部は、上記本体片３１、３２の挟持部３１ｃ、３２ｃが区画する空間Ｓに臨んでおり、本体片３１、３２と相対的に変位することにより、上記空間Ｓから退避して、空間Ｓにリテーナ部材１が挟持されるのを許容する退避位置と空間Ｓ内に入り込んで、空間Ｓにあるリテーナ部材１を押し出す押し出し位置とに変位可能に構成されている。さらに、摺動片３３の途中部分には、当接片３３ａが一体に垂下している。この当接片３３ａは、一方の本体片３１に形成された上記収容部３１ｆ内で摺動可能に構成されており、この収容部３１ｆによって規定されるストロークにより、摺動片３３が上記退避位置と押し出し位置との間で変位できるようになっている。さらに組み付け時において、上記当接片３３ａと収容部３１ｆの前端壁との間には、圧縮コイルばね３７が介装され、この圧縮コイルばね３７によって摺動片３３は、通常は退避位置に変位している。
【００２４】
そして、この装着具３０によれば、上述したリテーナ部材整列具１０の整列部１１によって、起立しているリテーナ部材１を挟持部３１ｃ、３２ｃで挟み込み、コネクタＣの開口部Ｈ１内にリテーナ部材１を正規の姿勢で導入した後、摺動片３３を本体片３１、３２に対して相対変位させ、押し出し位置に駆動することにより、挟持部３１ｃ、３２ｃに挟持されていたリテーナ部材１がコネクタＣ内に押し出され、二重係止を図ることができる。
【００２５】
ここで、上述した実施の形態によれば、パレット１２の上に無作為に置かれた複数のリテーナ部材１をパレット１２上で広げて所定の操作を行うだけで容易に整列させ、把持可能に起立させることができるので、図示のような装着具３０でリテーナ部材１の装着作業を行う際にも、作業が容易になり、ひいては自動化にも容易に適用することが可能になるという顕著な効果を奏する。また、整列凹部１４の個数を管理することによって、リテーナ部材１の個数の管理も容易になるという利点がある。
【００２６】
上述した実施の形態は本発明の好ましい具体例を例示したものに過ぎず、本発明は上述した実施の形態に限定されない。
図８は本発明の別の実施の形態に係るリテーナ部材整列具１０の斜視図であり、図９および図１０は図８の実施の形態の作用を示す断面部分略図である。
同図において、図１の実施の形態と大きく異なる点は、整列部１１に一対の把手４１を設け、この把手４１の取り付け部分を摺動可能に構成して、押し上げ部材２０と連結可能に構成している点である。
【００２７】
図９および図１０を参照して、より詳細に説明すると、把手４１は、全体として平面視略Ｕ字型に形成された金属部材であり、その両端側の取り付け部には、係止部材４２が固定されている。枠体１３の側壁には、この係止部材４２が枠体１３の内側にのみ進退可能な段付孔１３ａが形成されており、この段付孔１３ａによって、把手４１は、相対変位可能に構成されている。
【００２８】
さらに、押し上げ部材２０の押し上げ板２２には、整列部１１がベース板２１から所定の高さ浮揚してボルト１６が吊り下げられた位置にあるときに上記係止部材４２と対向する係止穴２２ａが形成されている。そして、この係止穴２２ａに把手４１の係止部材４２を嵌入することにより、整列部１１がベース板２１から浮揚した状態で両者を連結することが可能になる。
【００２９】
好ましい態様において、段付孔１３ａと係止部材４２との間に圧縮コイルばね４５を介装しておき、整列部１１を所定の高さに持ち上げたときに係止部材４２が弾性的に係止穴２２ａ内に嵌入するように構成してもよい。
また、具体的には図示していないが、パレット１２と押し上げ板２２との間に圧縮コイルばねを介装してもよい。
【００３０】
以上の構成では、図９の姿勢にあるときにパレット１２上でリテーナ部材１を整列させ、整列後に図１０の姿勢に整列部１１を変位させることにより、整列されたリテーナ部材１を起立させることができる。この整列部１１の変位は、枠体１３に設けられた把手４１を把持して枠体１３の外側に引く動作だけで容易に操作することができるので、作業性が著しく向上する。
【００３１】
図１１は本発明のさらに別の実施の形態に係るリテーナ部材整列具１０の斜視図であり、図１２および図１３は図１１の実施の形態の要部を示す断面部分略図である。
これらの図を参照して、整列部１１を押し上げ部２０と連結するための別の態様として、枠体１３の下端内壁部分に当該長手方向に沿うリブ状の係止突起５１を一体形成するとともに、下向きに開く多数のスリット５２で枠体１３の下部を分割して係止片５３を構成し、この係止片５３を弾性的に係脱可能な係止溝５４を押し上げ板２２の側壁に形成してもよい。
【００３２】
図１２および図１３に示すように、係止突起５１は、上端側が直角に延び、下端側が湾曲した形状に形成されているとともに、係止溝５４をこの係止突起５１の外形に沿って直角な上端縁５４ａと湾曲した下端縁５４ｂとによって区画することにより、下方には離脱が容易な状態で係止突起５１を係止溝５４に係止させることが可能になる。
【００３３】
その他、本発明の特許請求の範囲内で種々の設計変更が可能であることはいうまでもない。
【００３４】
【発明の効果】
以上説明したように、本発明によれば、パレットの上に無作為に置かれた複数のリテーナ部材をパレット上で広げて所定の操作を行うだけで容易に整列させ、把持可能に起立させることができるので、リテーナ部材の装着作業を容易に行うことができ、自動化にも容易に適用することが可能になるという顕著な効果を奏する。
【図面の簡単な説明】
【図１】本発明の実施の一形態におけるリテーナ部材整列具の使用状態を示す斜視図である。
【図２】図１の実施の形態に係る整列部を示すものであり、（Ａ）は平面図、（Ｂ）は断面図である。
【図３】図１の実施の形態に係るリテーナ部材整列具の作用を示す断面部分略図である。
【図４】図１の実施の形態に係るリテーナ部材整列具の作用を示す断面部分略図である。
【図５】図１の実施の形態に係るリテーナ部材整列具の作用を示す断面部分略図である。
【図６】図１に採用されている装着具の使用例を示す斜視図である。
【図７】図６の装着具の分解斜視図である。
【図８】本発明の別の実施の形態に係るリテーナ部材整列具の斜視図である。
【図９】図８の実施の形態の作用を示す断面部分略図である。
【図１０】図８の実施の形態の作用を示す断面部分略図である。
【図１１】本発明のさらに別の実施の形態に係るリテーナ部材整列具の斜視図である。
【図１２】図１１の実施の形態の要部を示す断面部分略図である。
【図１３】図１１の実施の形態の要部を示す断面部分略図である。
【符号の説明】
１    リテーナ部材
１０    リテーナ部材整列具
１１    整列部
１３    枠体
１４    整列凹部
１５    起立凹部
１６    ボルト（起立手段）
２０    押し上げ部材（起立手段）
４１    把手
４２    係止部材
５１    係止突起
５３    係止片
５４    係止溝
【図１】
0003651218.tif 000002
【図２】
0003651218.tif 000003
【図３】
0003651218.tif 000004
【図４】
0003651218.tif 000005
【図５】
0003651218.tif 000006
【図６】
0003651218.tif 000007
【図７】
0003651218.tif 000008
【図８】
0003651218.tif 000009
【図９】
0003651218.tif 000010
【図１０】
0003651218.tif 000011
【図１１】
0003651218.tif 000012
【図１２】
0003651218.tif 000013
【図１３】
0003651218.tif 000014